(57)【要約】【課題】消費電力を効率よく低減できる画像表示装置およびこれを備える撮像装置を提供する。【解決手段】画像を表示する画像表示素子21と、画像表示素子21に表示される画像を選択的に画素ずらしする画素ずらし部30と、画素ずらし部30による画素ずらしモードを、高解像度表示に対応する第１表示モード、または第１表示モードよりも低解像度で、かつ低消費電力の第２表示モードに選択的に設定する画素ずらしモード設定部61と、画素ずらしモード設定部61により設定された画素ずらしモードに応じて、画像表示素子21および画素ずらし部30を制御する表示制御部(54〜57)と、を有する。【選択図】図１
2009118159.tif 000002
【特許請求の範囲】
【請求項１】
画像を表示する画像表示素子と、
該画像表示素子に表示される画像を選択的に画素ずらしする画素ずらし部と、
該画素ずらし部による画素ずらしモードを、高解像度表示に対応する第１表示モード、または該第１表示モードよりも低解像度で、かつ低消費電力の第２表示モードに選択的に設定する画素ずらしモード設定部と、
該画素ずらしモード設定部により設定された画素ずらしモードに応じて、前記画像表示素子および前記画素ずらし部を制御する表示制御部と、
を有することを特徴とする画像表示装置。
【請求項２】
前記第２表示モードは、前記第１表示モードよりも前記画素ずらし部による画素ずらし点数が少ない、ことを特徴とする請求項１に記載の画像表示装置。
【請求項３】
前記第２表示モードは、前記第１表示モードよりも前記画像表示部に表示する画像のフレームレートが低い、ことを特徴とする請求項１に記載の画像表示装置。
【請求項４】
請求項１〜３のいずれか一項に記載の画像表示装置と、
前記画像表示素子に表示する画像を撮像する撮像素子と、
を有することを特徴とする撮像装置。
【請求項５】
さらに、前記撮像素子による撮像画像を記録するとともに、記録された撮像画像を再生する画像記録再生部と、
前記画像表示素子の表示モードを、前記画像記録再生部への静止画の撮像画像の記録動作に同期して、前記撮像素子による撮像画像をリアルタイムで表示するライブ表示モードから、前記画像記録再生部に記録した静止画の記録画像を所定時間再生表示する再生表示モードに切り替える表示モード切り替え制御部とを有し、
前記画素ずらしモード設定部は、前記表示モード切り替え制御部による前記表示モードが、前記ライブ表示モードの場合は、前記画素ずらしモードを前記第２表示モードに設定し、前記表示モード切り替え制御部による前記表示モードが、前記再生表示モードの場合は、前記画素ずらしモードを前記第１表示モードに設定する、
ことを特徴とする請求項４に記載の撮像装置。
【請求項６】
さらに、前記撮像素子による撮像画像を記録するとともに、記録された画像を再生する画像記録再生部と、
該画像記録再生部による記録または再生の画像種別として、静止画または動画を設定する画像種別設定部とを有し、
前記画素ずらしモード設定部は、前記画像種別設定部により前記画像種別として静止画が設定された場合は、前記画素ずらしモードを前記第１表示モードに設定し、前記画像種別設定部により前記画像種別として動画が設定された場合は、前記画素ずらしモードを前記第２表示モードに設定する、
ことを特徴とする請求項４に記載の撮像装置。
【請求項７】
さらに、温度検出部を有し、
前記画素ずらしモード設定部は、前記温度検出部による検出温度に基づいて、前記画素ずらしモードを、前記第１表示モードまたは前記第２表示モードに設定する、
ことを特徴とする請求項４に記載の撮像装置。
【請求項８】
さらに、駆動電源が外部電源か内部電源かの電源種別および内部電源の場合の電源残量を判断する電源状態判断部を有し、
前記画素ずらしモード設定部は、前記電源状態判断部の判断結果に基づいて、駆動電源が外部電源の場合は、前記画素ずらしモードを前記第１表示モードに設定し、駆動電源が内部電源で、その電源残量が閾値以上の場合には、前記画素ずらしモードを前記第１表示モードに設定し、駆動電源が内部電源で、その電源残量が前記閾値未満の場合には、前記画素ずらしモードを前記第２表示モードに設定する、
ことを特徴とする請求項４に記載の撮像装置。
【発明の詳細な説明】
【技術分野】
【０００１】
本発明は、画素ずらしにより高画素数画像を表示する画像表示装置、およびこれを備える撮像装置に関するものである。
【背景技術】
【０００２】
従来、プロジェクタやＨＭＤ（Head Mounted Display）等の画像表示装置として、透過型のＬＣＤ（Liquid Crystal Display）、反射型のＬＣＯＳ（Liquid Crystal On Silicon）やＤＭＤ（Digital Micromirror Device）等からなる画像表示素子の表示画素位置を、例えば液晶セルと複屈折板とを有する画素ずらし手段により選択的に画素ずらしすることにより、見かけ上の画素数を増大させて、画像を高解像度で表示するようにしたものが種々提案されている（例えば、特許文献１参照）。
【０００３】
一方、デジタルカメラ等の撮像装置においては、ＣＣＤやＣＭＯＳ等の撮像素子の多画素化が急速に進んでいる。しかし、撮像素子で撮像された画像を表示する電子ビューファインダ（ＥＶＦ：Electronic View Finder）に用いられている画像表示素子は、撮像素子の画素数に対して少ないのが一般的である。このため、ＥＶＦには、撮像素子による撮像画像が、低解像度に変換されて表示されることになる。
【０００４】
そこで、このＥＶＦの表示画像を高解像度化する方法として、ＥＶＦを構成する少画素数の画像表示素子の表示画素位置を、上記の画像表示装置と同様に、画素ずらし手段により画素ずらしすることにより、撮像素子で撮像された画像を、撮像素子の画素数に近い画素数で表示することが考えられている。
【０００５】
【特許文献１】特開平６−３２４３２０号公報
【発明の開示】
【発明が解決しようとする課題】
【０００６】
しかしながら、画素ずらしを行う従来の画像表示装置にあっては、画素ずらしにより画像を表示する際は、常に一定の動作条件で画素ずらし手段を動作させるようにしている。このため、信号処理量が増大して、消費電力や発熱の増加を招くことが懸念されるとともに、特に、バッテリ駆動される画像表示装置においては、消費電力の増大を招いて、バッテリの消費が早くなり、使用可能時間が短くなってしまうことが懸念される。
【０００７】
また、このような画像表示装置の画素ずらし技術を、撮像素子のＥＶＦに適用すると、特に、バッテリ駆動される撮像装置においては、撮像素子の多画素化に伴う消費電力の増大と相俟って、システム全体の更なる消費電力の増大を招くことになって、バッテリの使用可能時間がさらに短くなってしまうことが懸念される。
【０００８】
したがって、かかる点に鑑みてなされた本発明の主たる目的は、消費電力を効率よく低減できる画像表示装置、およびこれを備える撮像装置を提供することにある。
【課題を解決するための手段】
【０００９】
上記目的を達成する請求項１に係る画像表示装置の発明は、
画像を表示する画像表示素子と、
該画像表示素子に表示される画像を選択的に画素ずらしする画素ずらし部と、
該画素ずらし部による画素ずらしモードを、高解像度表示に対応する第１表示モード、または該第１表示モードよりも低解像度で、かつ低消費電力の第２表示モードに選択的に設定する画素ずらしモード設定部と、
該画素ずらしモード設定部により設定された画素ずらしモードに応じて、前記画像表示素子および前記画素ずらし部を制御する表示制御部と、
を有することを特徴とするものである。
【００１０】
請求項２に係る発明は、請求項１に記載の画像表示装置において、
前記第２表示モードは、前記第１表示モードよりも前記画素ずらし部による画素ずらし点数が少ない、ことを特徴とするものである。
【００１１】
請求項３に係る発明は、請求項１に記載の画像表示装置において、
前記第２表示モードは、前記第１表示モードよりも前記画像表示部に表示する画像のフレームレートが低い、ことを特徴とするものである。
【００１２】
さらに、上記目的を達成する請求項４に係る撮像装置の発明は、
請求項１〜３のいずれか一項に記載の画像表示装置と、
前記画像表示素子に表示する画像を撮像する撮像素子と、
を有することを特徴とするものである。
【００１３】
請求項５に係る発明は、請求項４に記載の撮像装置において、
さらに、前記撮像素子による撮像画像を記録するとともに、記録された撮像画像を再生する画像記録再生部と、
前記画像表示素子の表示モードを、前記画像記録再生部への静止画の撮像画像の記録動作に同期して、前記撮像素子による撮像画像をリアルタイムで表示するライブ表示モードから、前記画像記録再生部に記録した静止画の記録画像を所定時間再生表示する再生表示モードに切り替える表示モード切り替え制御部とを有し、
前記画素ずらしモード設定部は、前記表示モード切り替え制御部による前記表示モードが、前記ライブ表示モードの場合は、前記画素ずらしモードを前記第２表示モードに設定し、前記表示モード切り替え制御部による前記表示モードが、前記再生表示モードの場合は、前記画素ずらしモードを前記第１表示モードに設定する、
ことを特徴とするものである。
【００１４】
請求項６に係る発明は、請求項４に記載の撮像装置において、
さらに、前記撮像素子による撮像画像を記録するとともに、記録された画像を再生する画像記録再生部と、
該画像記録再生部による記録または再生の画像種別として、静止画または動画を設定する画像種別設定部とを有し、
前記画素ずらしモード設定部は、前記画像種別設定部により前記画像種別として静止画が設定された場合は、前記画素ずらしモードを前記第１表示モードに設定し、前記画像種別設定部により前記画像種別として動画が設定された場合は、前記画素ずらしモードを前記第２表示モードに設定する、
ことを特徴とするものである。
【００１５】
請求項７に係る発明は、請求項４に記載の撮像装置において、
さらに、温度検出部を有し、
前記画素ずらしモード設定部は、前記温度検出部による検出温度に基づいて、前記画素ずらしモードを、前記第１表示モードまたは前記第２表示モードに設定する、
ことを特徴とするものである。
【００１６】
請求項８に係る発明は、請求項４に記載の撮像装置において、
さらに、駆動電源が外部電源か内部電源かの電源種別および内部電源の場合の電源残量を判断する電源状態判断部を有し、
前記画素ずらしモード設定部は、前記電源状態判断部の判断結果に基づいて、駆動電源が外部電源の場合は、前記画素ずらしモードを前記第１表示モードに設定し、駆動電源が内部電源で、その電源残量が閾値以上の場合には、前記画素ずらしモードを前記第１表示モードに設定し、駆動電源が内部電源で、その電源残量が前記閾値未満の場合には、前記画素ずらしモードを前記第２表示モードに設定する、
ことを特徴とするものである。
【発明の効果】
【００１７】
本発明によれば、画素ずらし部によって、画像表示素子に表示される画像を選択的に画素ずらしする画素ずらしモードを、画素ずらしモード設定部により、高解像度表示に対応する第１表示モード、または該第１表示モードよりも低解像度で、かつ低消費電力の第２表示モードに選択的に設定するようにしたので、消費電力を効率よく低減することができる。したがって、バッテリで駆動される場合には、その使用可能時間を長くできる。
【発明を実施するための最良の形態】
【００１８】
以下、本発明の実施の形態について、図を参照して説明する。
【００１９】
（第１実施の形態）
図１は、本発明の第１実施の形態に係る画像表示装置の概略構成を示す機能ブロック図である。この画像表示装置は、表示光学系および制御系を有している。先ず、表示光学系の構成について説明する。表示光学系は、照明部１０、画像表示部２０、画素ずらし部３０および拡大光学系４０を有し、照明部１０からの照明光を、画像表示部２０により表示画像に応じて空間変調して、その空間変調された表示画像を画素ずらし部３０および拡大光学系４０を経て、図示しないスクリーンに拡大表示する。
【００２０】
照明部１０は、ＬＥＤ光源、レーザ光源、ＵＨＰランプ、キセノンランプ等を照明光源とするバックライト１１を有する。バックライト１１は、白色光源を用いる場合には、カラーホイールを用いて白色光をＲＧＢに色分離するようにする。また、画像表示部２０を、ＲＧＢの面順次で平面状に照明する場合には、好ましくは、バックライト１１を、ＬＥＤ光源を用いて構成する。図１では、Ｒ，Ｇ，ＢのＬＥＤ光源を用いてバックライト１１を構成し、このバックライト１１により照明光学系１２を介して画像表示部２０を色面順次で面状に照明するように照明部１０を構成した場合を示している。
【００２１】
画像表示部２０は、モノクロのＬＣＤ、ＬＣＯＳやＤＭＤからなる画像表示素子２１を有して構成する。図１の画像表示部２０は、ＬＣＤからなる画像表示素子２１と、その前後に直交ニコルで配置した偏光板２２，２３とを有し、照明部１０からの照明光を、偏光板２２を経て水平偏光で画像表示素子２１に入射させて、画像表示素子２１により表示画像に応じて空間変調した後、偏光板２３を経て垂直偏光で画素ずらし部３０に入射させるように構成している。ここで、偏光板２２，２３は、図１では画像表示素子２１と空間的に離間して配置しているが、画像表示素子２１に貼付するように設けても良い。
【００２２】
なお、このように、偏光板２２を介して画像表示素子２１に偏光された照明光を入射させる場合には、照明光学系１２に、バックライト１１からの照明光の偏光方向を効率よく揃えるためのＰＳ変換素子や、画像表示素子２１の照明ムラを低減するためのインテグレータ素子を設けるのが好ましい。ただし、照明光として、十分な明るさが得られる場合には、ＰＳ変換素子やインテグレータ素子を省略することもできる。
【００２３】
画素ずらし部３０は、液晶セル３１ａおよび複屈折板３２ａを有する垂直方向の画素ずらしセットと、液晶セル３１ｂおよび複屈折板３２ｂを有する水平方向の画素ずらしセットとを備える。液晶セル３１ａ，３１ｂは、電圧を印加したオン状態（例えば、＋１６Ｖ程度を印加した状態）では、入射光を、偏光方向を維持したまま透過させ、電圧を印加しないオフ状態（０Ｖ状態）では、入射光を、偏光方向を９０度回転させて透過させるように構成する。これら液晶セル３１ａ，３１ｂは、例えば、ＴＮ（Twisted Nematic）液晶や強誘電性液晶等により構成することができるが、好ましくは、一般的で安価なＴＮ液晶を用いて構成する。
【００２４】
また、複屈折板３２ａは、その結晶軸と入射光の偏光方向との関係を、垂直偏光の入射光に対しては、画像表示素子２１の画素からの光線を垂直方向に半画素ピッチ分だけシフトさせ、水平偏光の入射光に対しては、光線シフトを行うことなく、そのまま透過させるように構成する。これに対し、複屈折板３２ｂは、その結晶軸と入射光の偏光方向との関係を、垂直偏光の入射光に対しては、画像表示素子２１の画素からの光線をシフトすることなく、そのまま透過させ、水平偏光の入射光に対しては、水平方向に半画素ピッチ分だけシフトさせるように構成する。
【００２５】
これら、複屈折板３２ａ，３２ｂは、例えば、水晶（a-SiO2）、ニオブ酸リチウム（LiNbO3）、ルチル（TiO2）、方解石（CaCO3）、チリ硝石（NaNO3）、YVO4等の異方性結晶により構成することができ、その光線シフト量は、使用する材質の複屈折量および厚さにより決定することができるが、コストの面では安価な水晶を用いるのが好ましく、小型化の面では屈折率が高く、薄型化が可能なニオブ酸リチウムを用いるのが好ましい。なお、液晶セル３１ａ，３１ｂおよび複屈折板３２ａ，３２ｂには、ゴースト光やフレアによる画質の劣化を防止するため、好ましくは、反射防止膜をコーティングしておく。
【００２６】
本実施の形態は、この画素ずらし部３０による画素ずらしモードとして、高解像度表示に対応する第１表示モードである４点画素ずらしモード、または、第１表示モードよりも低解像度で、かつ低消費電力の第２表示モードである２点画素ずらしモードを選択可能とする。これら４点画素ずらしモードおよび２点画素ずらしモードについては、後述する。
【００２７】
次に、図１に示す画像表示装置の制御系の構成について説明する。制御系は、入力Ｉ／Ｆ（インターフェース）５１、画像処理部５２、画像メモリ５３、出力画像処理部５４、光源制御部５５、表示素子制御部５６、画素ずらし制御部５７、タイミングジェネレータ５８、操作部５９、および全体を制御するシステムコントローラ６０を有する。システムコントローラ６０は、例えばマイクロコンピュータからなり、画素ずらしモード設定部６１を有している。
【００２８】
入力Ｉ／Ｆ５１は、例えば、ＤＶＩ（Digital Visual Interface），ＨＤＭＩ（High-Definition Multimedia Interface）等から得られる表示すべき入力映像信号から、クロック、水平同期信号（以下、ＨＤと略記する）、垂直同期信号（以下、ＶＤと略記する）、データ等を抽出して、抽出したクロック、ＨＤ、ＶＤ等の入力映像基準信号およびデータを画像処理部５２に転送し、入力映像基準信号をタイミングジェネレータ５８に転送する。
【００２９】
画像処理部５２は、転送された入力映像基準信号およびデータに基づいて、必要に応じて画像メモリ５３を使用しながら、フレームレート変換、スケーラー処理、ＩＰ変換、色・輝度信号処理、工ンハンス処理等の各種の画像処理を実行して、画像処理された出力画像を出力画像処理部５４に転送する。なお、画像メモリ５３は、例えば、ＳＤＲＡＭ（Synchronous Dynamic Random Access Memory）、ＤＤＲ−ＳＤＲＡＭ（Double Data Rate SDRAM）等の揮発性メモリで構成する。
【００３０】
出力画像処理部５４は、画像処理部５２からの出力画像に基づいて、光源制御部５５を介してバックライト１１の駆動を制御するとともに、表示素子制御部５６を介して画像表示素子２１の駆動を制御し、さらに画素ずらし制御部５７を介して液晶セル３１ａ，３１ｂの駆動を制御する。
【００３１】
本実施の形態は、モノクロの画像表示素子２１をＲＧＢの各色で順次照明し、その各色の照明に同期して、対応する色の画像を画像表示素子２１に表示することにより、ＲＧＢの各画像を時間的に重畳してカラー画像を得る色面順次表示（フィールドシーケンシャル表示）方式をとっている。このため、光源制御部５５は、出力画像処理部５４の出力に基づいて、画像表示素子２１の１画素位置の出力画像に、ＲＧＢの画像情報が入るように、バックライト１１の駆動を制御する。また、表示素子制御部５６は、出力画像処理部５４からの出力画像に対して、画像表示素子２１の階調特性を補正するＶ−Ｔ補正や、表示画像の明るさを補正するシェーディング補正等の画像処理を行うと同時に、画像表示素子２１へ書き込む面順次データや、その書き込みに必要な信号を生成し、バックライト１１の駆動に同期して、画像表示素子２１に面順次データを書き込むことにより、色面順次表示を行う。
【００３２】
一方、タイミングジェネレータ５８は、入力Ｉ／Ｆ５１からの入力映像基準信号、およびシステムコントローラ６０の画素ずらしモード設定部６１で設定された画素ずらしモードに基づいて、各ブロックの駆動を制御する各種の基準信号（タイミング信号）を生成して、対応するブロックに供給する。
【００３３】
本実施の形態は、上述した画素ずらし部３０による４点画素ずらしモードまたは２点画素ずらしモードを、操作部５９において、操作ボタンやメニュー（ＧＵＩ）によって、ユーザにより選択可能に画素ずらしモード選択スイッチ６２を設け、この画素ずらしモード選択スイッチ６２の状態を、システムコントローラ６０により検出し、その検出結果に基づいて画素ずらしモード設定部６１により、画素ずらし部３０による画素ずらしモードを設定し、その設定された画素ずらしモードに応じてタイミングジェネレータ５８によるタイミング信号の生成を制御する。これにより、出力画像処理部５４による光源制御部５５、表示素子制御部５６および画素ずらし制御部５７の駆動を制御して、設定された画素ずらしモードに応じた画素ずらし表示を行う。したがって、本実施の形態では、画像処理部５２、出力画像処理部５４、光源制御部５５、表示素子制御部５６および画素ずらし制御部５７を含んで表示制御部を構成している。
【００３４】
すなわち、本実施の形態の画像表示装置は、図２にフローチャートを示すように、システムコントローラ６０により操作部５９の画素ずらしモード選択スイッチ６２の状態を検出して（ステップＳ１１）、４点画素ずらしモードか否かを判定し（ステップＳ１２）、その判定結果に応じて、画素ずらしモード設定部６１により、４点画素ずらしモードの場合には４点画素ずらし表示を行い（ステップＳ１３）、２点画素ずらしモードの場合には２点画素ずらし表示を行うように（ステップＳ１４）、画素ずらしモードを設定する。
【００３５】
以下、４点画素ずらしモードおよび２点画素ずらしモードについて、さらに詳細に説明する。
【００３６】
先ず、４点画素ずらしモードについて説明する。４点画素ずらしモードでは、入力映像信号を、画像処理部５２において、隣接する４つの画素がそれぞれ異なるフィールドの画像を形成するように、４つのサブフィールドに分割して、画像メモリ５３の出力画像メモリ５３Ａ〜５３Ｄに格納する。
【００３７】
例えば、入力映像信号が１０８０ｉの場合には、画像処理部５２は、１０８０ｉの入力映像信号を１０８０ｐ（１９２０×１０８０）の映像信号にＩＰ変換した後、図３に示すように、隣接する４つの画素Ａ〜Ｄがそれぞれ異なるフィールドの画像を形成するように、９６０×５４０サイズの４つのサブフィールドＡ〜Ｄに分割して、画像メモリ５３の出力画像メモリ５３Ａ〜５３Ｄに格納する。
【００３８】
ここで、画像表示素子２１がＸＧＡ（１０２４×７６８）サイズの場合には、サブフィールドにおける入力画像の有効画素よりも、画像表示素子２１の有効画素の方が多くなってしまうので、図３に示すように、黒にマスクしたデータを埋め込みながらサブフィールドＡ〜Ｄを生成する。
【００３９】
本実施の形態では、サブフィールドＡ〜Ｄの各出力画像を、Ａ→Ｃ→Ｂ→Ｄの順序で画像表示素子２１に表示し、かつ、その表示順序に同期したタイミングで、画像表示素子２１の画素位置を、画素ずらし部３０により、図４（ａ）〜（ｄ）に示すように、画素位置Ａ→Ｃ→Ｂ→Ｄの順序で光線シフトするように制御する。
【００４０】
すなわち、画像表示素子２１に出力画像Ａを表示する場合には、図４（ａ）に示すように、液晶セル３１ａ，３１ｂの印加電圧をともにオフとする。この状態では、画像表示素子２１からの垂直偏光は、液晶セル３１ａで偏光方向が９０度回転されて水平偏光となるので、複屈折板３２ａで光線シフトされることなくそのまま透過し、さらに液晶セル３１ｂで偏光方向が９０度回転されて垂直偏光となるので、複屈折板３２ｂで光線シフトされることなくそのまま透過する。したがって、この状態では、画素シフト部３０を透過した後の画像表示素子２１の各画素位置は、透過前の画素位置と同じ位置、すなわち画素位置Ａとなる。
【００４１】
次に、画像表示素子２１に出力画像Ｃを表示する場合には、図４（ｂ）に示すように、液晶セル３１ａは印加電圧をオフのままで、液晶セル３１ｂの印加電圧をオンとする。この状態では、画像表示素子２１からの垂直偏光は、液晶セル３１ａで水平偏光に変換されて、複屈折板３２ａをそのまま透過し、さらに液晶セル３１ｂを水平偏光のまま透過するので、複屈折板３２ｂで水平方向に半画素ピッチシフトされる。したがって、この状態では、画素シフト部３０を透過した後の画像表示素子２１の各画素位置は、水平方向に半画素ピッチずれた画素位置Ｃとなる。
【００４２】
次に、画像表示素子２１に出力画像Ｂを表示する場合には、図４（ｃ）に示すように、液晶セル３１ａ，３１ｂの印加電圧をともにオンとする。この状態では、画像表示素子２１からの垂直偏光は、液晶セル３１ａをそのまま透過するので、複屈折板３２ａで垂直方向に半画素ピッチシフトされ、さらに、液晶セル３１ｂを垂直偏光のまま透過するので、複屈折板３２ｂをそのまま透過する。したがって、この状態では、画素シフト部３０を透過した後の画像表示素子２１の各画素位置は、垂直方向に半画素ピッチずれた画素位置Ｂとなる。
【００４３】
さらに、画像表示素子２１に出力画像Ｄを表示する場合には、図４（ｄ）に示すように、液晶セル３１ａは印加電圧をオンのままで、液晶セル３１ｂの印加電圧をオフとする。この状態では、画像表示素子２１からの垂直偏光は、液晶セル３１ａをそのまま透過して、複屈折板３２ａで垂直方向に半画素ピッチシフトされた後、さらに、液晶セル３１ｂで水平偏光に変換されるので、複屈折板３２ｂで水平方向に半画素ピッチシフトされる。したがって、この状態では、画素シフト部３０を透過した後の画像表示素子２１の各画素位置は、垂直方向および水平方向にそれぞれ半画素ピッチずれた画素位置Ｄとなる。
【００４４】
このように、液晶セル３１ａ，３１ｂへの電圧印加のオン・オフを組み合わせることにより、画像表示素子２１の各画素位置を、４つの画素位置Ａ〜Ｄに選択的にシフトすることができる。また、メカニカルな振動等を伴うことなく、光線を光学的にシフトして画素ずらしを行うので、振動の発生要因もなく、かつ、メカニカルなアクチュエータ等も不要となり、安価な構成で安定かつ高精度の画素シフトが可能となる。
【００４５】
図５は、４点画素ずらしモードにおける動作を示すタイミングチャートである。４点画素ずらしモードでは、タイミングジェネレータ５８において、入力Ｉ／Ｆ５１からの入力映像基準信号に基づいて２４０Ｈｚの基準信号を生成し、この基準信号毎に画像表示素子２１に１画素位置の出力画像を表示するように、各部の動作を制御する。このため、バックライト１１および画像表示素子２１は、ＲＧＢの色面順次の照明と、その照明に対応した画像表示とを、７２０Ｈｚで行う。
【００４６】
すなわち、画像表示素子２１は、ＲＧＢの各色の画像情報を７２０Ｈｚで表示し、バックライト１１は、画像表示素子２１にＲ色の画像情報を表示する期間は、Ｒ色のＬＥＤ光源を駆動し、画像表示素子２１にＧ色の画像情報を表示する期間は、Ｇ色のＬＥＤ光源を駆動し、画像表示素子２１にＢ色の画像情報を表示する期間は、Ｂ色のＬＥＤ光源を駆動する。これにより、２４０Ｈｚで１画素位置のＲＧＢの全色を表示する。
【００４７】
この２４０Ｈｚでの１画素位置の全色表示を、各フレームについて、出力画像ＡのＲＧＢ情報を表示した後に、出力画像ＣのＲＧＢ情報を表示し、次に出力画像ＢのＲＧＢ情報を表示し、最後に出力画像ＤのＲＧＢ情報を表示することにより、４つの画像情報の全てを６０Ｈｚで表示する。ここで、入力映像信号が、例えば動画の場合のように、６０Ｈｚ単位でフレームの切り替えが必要な用途であれば、画像メモリ５３の出力画像メモリ５３Ａ〜５３Ｄは、フレーム単位で更新するが、入力映像信号が静止画で、フレーム単位での画面切り替えが必要無い場合は、出力画像メモリ５３Ａ〜５３Ｄは更新しないで、同一の画像情報を保持したまま、画像を表示するようにしてもかまわない。
【００４８】
また、画素ずらし部３０は、画像表示素子２１の各画素位置を、出力画像Ａ→Ｃ→Ｂ→Ｄの表示に同期して、図４（ａ）〜（ｄ）に示したように、画素位置Ａ→Ｃ→Ｂ→Ｄに画素ずらしして表示するため、液晶セル３１ａはオフ→オフ→オン→オンに駆動し、液晶セル３１ｂはオフ→オン→オン→オフに駆動する。
【００４９】
ここで、液晶セル３１ａ，３１ｂは、画像表示素子２１の表示タイミングに対応して駆動する必要がある。しかし、液晶セル３１ａ，３１ｂとして、ＴＮ液晶を用いた場合には、電圧のオンとオフとで応答特性が異なる。このため、この場合には、液晶セル３１ａ，３１ｂのオン・オフの応答特性を考慮して、基準信号に対してオン・オフの切り換わり状態が中間となるように、液晶セル３１ａ，３１ｂのオン・オフの駆動タイミングを、画素ずらし制御部５７で最適に調整する。
【００５０】
このように、４点画素ずらしモードでは、タイミングジェネレータ５８において、入力Ｉ／Ｆ５１からの入力映像基準信号に基づいて２４０Ｈｚの基準信号を生成し、この基準信号に基づいて、バックライト１１によるＲＧＢの面順次照明、画像表示素子２１への出力画像Ａ〜Ｄの表示、および、画素ずらし部３０の液晶セル３１ａ，３１ｂのオン・オフを制御することにより、色面順次で画像を表示しながら４点画素ずらしを行うことができる。
【００５１】
次に、２点画素ずらしモードについて説明する。２点画素ずらしモードでは、入力映像信号を、画像処理部５２において、図３の画素Ａおよび画素Ｄの２つのサブフィールドＡおよびＤに分割して、画像メモリ５３の出力画像メモリ５３Ａおよび５３Ｄにそれぞれ格納し、これらサブフィールドＡおよびＤの各出力画像を、Ａ→Ｄの順序で画像表示素子２１に表示し、かつ、その表示順序に同期したタイミングで、画像表示素子２１の画素位置を、画素ずらし部３０により、図４（ａ）および（ｄ）に示すように、画素位置Ａ→Ｄの順序で光線シフトするように制御する。
【００５２】
図６は、２点画素ずらしモードにおける動作を示すタイミングチャートである。２点画素ずらしモードでは、タイミングジェネレータ５８において、入力Ｉ／Ｆ５１からの入力映像基準信号に基づいて１２０Ｈｚの基準信号を生成し、この基準信号に基づいて図４（ａ）および（ｄ）の２点画素ずらしを行うように各部の動作を制御して、各フレームを６０Ｈｚで表示する。
【００５３】
すなわち、バックライト１１および画像表示素子２１は、３６０Ｈｚで、ＲＧＢの各色の照明および各色に対応する画像情報を行うことにより、１２０Ｈｚで１画素位置のＲＧＢの全色を表示し、この１２０Ｈｚでの１画素位置の全色表示を、各フレームについて、出力画像ＡのＲＧＢ情報を表示した後に、出力画像ＤのＲＧＢ情報を表示することにより、２つの画像情報の全てを６０Ｈｚで表示する。
【００５４】
また、画素ずらし部３０は、画像表示素子２１の各画素位置を、出力画像Ａ→Ｄの表示に同期して、図４（ａ）および（ｄ）に示したように、画素位置Ａ→Ｄに画素ずらしして表示するため、液晶セル３１ａはオフ→オンに駆動し、液晶セル３１ｂはオフのままとする。
【００５５】
このように、本実施の形態では、タイミングジェネレータ５８で生成する基準信号を、４点画素ずらしモードでは２４０Ｈｚとし、２点画素ずらしモードでは４点画素ずらしの半分の１２０Ｈｚと低速にして、各部の動作を制御するようにしたので、２点画素ずらしモードを選択することにより、ビットレート（信号量）を低下させて消費電力を低減することができる。しかも、本実施の形態では、タイミングジェネレータ５８において、入力映像信号の基準信号を用いる同期モードで、各種のタイミング信号を生成するようにしたので、基準信号を発生するクロック生成部も不要となり、より低消費電力化が可能となる。したがって、特に、バッテリで動作させる場合には、バッテリ残量が少ない場合に、２点画素ずらしモードを選択することにより、消費電力を効率よく低減でき、使用可能時間を延長することが可能となる。
【００５６】
（第２実施の形態）
本発明の第２実施の形態に係る画像表示装置は、上述した第１実施の形態の画像表示装置において、画素ずらし部３０による画素ずらしモードである第１表示モードを第１実施の形態と同様の４点画素ずらしモードとし、第２表示モードを第１表示モードの４点画素ずらしモードよりも低速の４点低速画素ずらしモードとして、第１実施の形態の場合と同様に、操作部５９に設けた画素ずらしモード選択スイッチ６２により、ユーザにより選択的に設定可能とする。
【００５７】
すなわち、図７にフローチャートを示すように、システムコントローラ６０により操作部５９の画素ずらしモード選択スイッチ６２の状態を検出して（ステップＳ２１）、４点画素ずらしモードか否かを判定し（ステップＳ２２）、その判定結果に応じて、画素ずらしモード設定部６１により、４点画素ずらしモードの場合には４点画素ずらし表示を行い（ステップＳ２３）、４点低速画素ずらしモードの場合には４点低速画素ずらし表示を行うように（ステップＳ２４）、画素ずらしモードを設定する。
【００５８】
ここで、４点画素ずらしモードでは、第１実施の形態における４点画素ずらしモードと同様に、２４０Ｈｚの基準信号に基づいて４点画素ずらし表示を行う。これに対し、４点低速画素ずらしモードでは、図８にタイミングチャートを示すように、１２０Ｈｚの基準信号に基づいて４点画素ずらしを行う。
【００５９】
すなわち、４点低速画素ずらしモードでは、バックライト１１および画像表示素子２１を、３６０Ｈｚで、ＲＧＢの各色の照明および各色に対応する画像情報を行うことにより、１２０Ｈｚで１画素位置のＲＧＢの全色を表示し、この１２０Ｈｚでの１画素位置の全色表示を、各フレームについて、出力画像Ａ→Ｃ→Ｂ→Ｄの順に表示する。また、画素ずらし部３０は、出力画像Ａ→Ｃ→Ｂ→Ｄの表示に同期して、図４（ａ）〜（ｄ）に示したように、液晶セル３１ａ，３１ｂを駆動して、画像表示素子２１の各画素位置を、画素位置Ａ→Ｃ→Ｂ→Ｄに画素ずらしして表示する。したがって、この４点低速画素ずらしモードでのフレームレートは、３０Ｈｚとなる。
【００６０】
このように、本実施の形態では、タイミングジェネレータ５８で生成する基準信号を、４点画素ずらしモードでは２４０Ｈｚとし、４点低速画素ずらしモードでは半分の１２０Ｈｚと低速にして、各部の動作を制御するようにしたので、４点低速画素ずらしモードを選択することにより、第１実施の形態の場合と同様の効果が得られる。
【００６１】
（第３実施の形態）
図９は、本発明の第３実施の形態に係る画像表示装置の概略構成を示す機能ブロック図である。本実施の形態の画像表示装置は、図１に示した構成において、操作部５９に画素ずらしモード選択スイッチ６２を設ける代わりに、画素ずらし部３０の近傍に温度センサ６５を設け、この温度センサ６５の出力に基づいて、画素ずらし部３０による画素ずらしモードを、システムコントローラ６０において画素ずらしモード設定部６１により、高解像度表示に対応する第１表示モード、または第１表示モードよりも低解像度で、かつ低消費電力の第２表示モードに自動的に設定するようにしたものである。
【００６２】
すなわち、画素ずらし部３０を構成する液晶セル３１ａ，３１ｂは、応答速度（スイッチング速度）に温度特性を有しており、低温では応答速度が低下する。そこで、本実施の形態では、図１０にフローチャートを示すように、温度センサ６５により画素ずらし部３０の近傍の温度を測定し（ステップＳ３１）、その測定温度が所定の閾値（例えば、２０℃）以上か否かをシステムコントローラ６０において判定し（ステップＳ３２）、その判定結果に応じて、画素ずらしモード設定部６１により、閾値以上の場合には第１表示モードで画素ずらし表示を行い（ステップＳ３３）、閾値未満の場合には第２表示モードで画素ずらし表示を行うように（ステップＳ３４）、画素ずらしモードを設定する。
【００６３】
ここで、第１表示モードおよび第２表示モードは、第１実施の形態と同様に、それぞれ４点画素ずらしおよび２点画素ずらしとしたり、第２実施の形態と同様に、それぞれ４点画素ずらしおよび４点低速画素ずらしとしたり、することができる。
【００６４】
このように、本実施の形態では、画素ずらし部３０の周囲温度に応じて、画素ずらし部３０による画素ずらしモードを、閾値以上の温度では、高解像度表示に対応する第１表示モードに、閾値未満の温度では第１表示モードよりも低解像度で、かつ低消費電力の第２表示モードに自動的に設定するようにしたので、効率的な低消費電力化を図りながら、画素ずらし部３０を構成する液晶セル３１ａ，３１ｂの応答速度に応じた適切な画素ずらしモードで画像を表示することができる。
【００６５】
（第４実施の形態）
図１１は、本発明の第４実施の形態に係る画像表示装置の概略構成を示す機能ブロック図である。本実施の形態の画像表示装置は、上述した第１〜３実施の形態の構成において、タイミングジェネレータ５８に接続して画像表示素子２１に適したクロックを生成するクロック生成部６６を設け、このクロック生成部６６からのクロック、およびシステムコントローラ６０の画素ずらしモード設定部６１で設定された画素ずらしモードに基づいて、タイミングジェネレータ５８により各ブロックの駆動を制御する各種のタイミング信号を生成して、対応するブロックに供給するようにしたものである。なお、図１１は、便宜上、図９に示した構成に、クロック生成部６６を付加した構成を示している。
【００６６】
すなわち、上述した第１〜３実施の形態では、タイミングジェネレータ５８は、入力Ｉ／Ｆ５１からの入力映像基準信号を用いる同期モードで各種のタイミング信号を生成するようにしたが、本実施の形態では、クロック生成部６６から発生される画像表示素子２１に適したクロックを用いる非同期モードで各種のタイミング信号を生成する。
【００６７】
したがって、本実施の形態の場合には、第１〜３実施の形態の場合と比較して、クロック生成部６６を動作させる分、電力を消費することになるが、画素ずらし部３０による画素ずらしモードを、第１〜３実施の形態の場合と同様に、高解像度表示に対応する第１表示モード、または第１表示モードよりも低解像度で、かつ低消費電力の第２表示モードに選択的に設定可能としているので、消費電力を効率的に低減することが可能となる。
【００６８】
（第５実施の形態）
図１２は、本発明の第５実施の形態に係る画像表示装置の概略構成を示す機能ブロック図である。本実施の形態の画像表示装置は、上述した第１〜３実施の形態の構成において、タイミングジェネレータ５８に接続して、第１クロックを生成する第１クロック生成部６７と、第１クロックとは異なる周波数の第２クロックを生成する第２クロック部６８とを設ける。ここで、第１クロック生成部６７で生成する第１クロックは、画像表示素子２１に、例えば１２８０×７６８画素の画像を表示するのに適したクロックとし、第２クロック生成部６８で生成する第２クロックは、画像表示素子２１に、例えば１２８０×７２０画素の画像を表示するのに適したクロックとする。
【００６９】
また、操作部５９には、操作ボタンやメニュー（ＧＵＩ）によって、ユーザにより選択可能にクロック選択スイッチ６３を設け、このクロック選択スイッチ６３により選択された、第１クロック生成部６７または第２クロック生成部６８のいずれかをシステムコントローラ６０により動作させるようにする。これにより、選択されたクロック生成部からのクロックを用いて、第４実施の形態と同様に、非同期モードでタイミングジェネレータ５８により各種のタイミング信号を生成する。なお、図１２は、便宜上、図９に示した構成に、クロック選択スイッチ６３、第１クロック生成部６７および第２クロック生成部６８を付加した構成を示している。
【００７０】
本実施の形態においては、例えば、画像表示素子２１の画素数を１２８０×７６８とすると、入力映像信号が、例えば２５６０×１５３６の場合で、４点画素ずらし、あるいは２点画素ずらしを行う場合には、第１クロック生成部６７を選択することにより、上述した第１〜３実施の形態と同様にして画素ずらしを行う。
【００７１】
これに対し、入力映像信号が、例えば２５６０×１４４０の場合で、４点画素ずらし、あるいは２点画素ずらしを行う場合には、画像表示素子２１の有効エリアに対して、入力映像信号の有効サイズ（この場合、１２８０×７２０となる）が小さいので、入力映像信号と画像表示素子２１との解像度（画素数）が合わないことになる。この場合、画像処理部５２において、スケーラー処理を行って所望のサイズに変換することで、第１クロックを用いて画像表示素子２１に画像を画素ずらしして表示することもできる。
【００７２】
しかし、このように画像処理部５２でスケーラー処理を行うと、処理負荷が多くなって、消費電力が大きくなる。そこで、本実施の形態では、このようなサイズの入力映像信号に対しては、操作部５９のクロック選択スイッチ６３により第２クロック生成部６８を選択可能とする。これにより、画像処理部５２でスケーラー処理を行うことなく、入力映像信号の上下に黒マスクなどを行って、第２クロックを用いて画像表示素子２１に画像を画素ずらしして表示する。このようにすれば、画像処理部５２での処理負荷を軽減できるので、画素ずらしの第１表示モードまたは第２表示モードの選択設定と相俟って、より効率的に消費電力を低減することが可能となる。
【００７３】
なお、第４実施の形態や第５実施の形態におけるように、非同期モード用のクロック生成部を設ける場合には、操作部５９に同期モードまたは非同期モードを選択する動作モード選択スイッチを設けて、いずれかの動作モードで動作させるように構成することもできる。
【００７４】
例えば、第５実施の形態において、同期モードまたは非同期モードを選択可能とした場合には、図１３にフローチャートを示すように、システムコントローラ６０において、動作モード選択スイッチの状態を検出して（ステップＳ４１）、同期モードか否かを判定し（ステップＳ４２）、同期モードの場合には、第１クロック生成部６７および第２クロック生成部６８の動作を停止させる（ステップＳ４３）。これに対し、非同期モードの場合には、さらにクロック選択スイッチ６３の状態を検出して、第１クロックが選択されているか否かを判定し（ステップＳ４４）、第１クロックが選択されている場合には、第２クロック生成部６８の動作を停止させ（ステップＳ４５）、第２クロックが選択されている場合には、第１クロック生成部６７の動作を停止させる（ステップＳ４６）。
【００７５】
このようにして、同期モードでは入力映像信号の基準信号を用いて、また、非同期モードにおいては、第１クロック生成部６７または第２クロック生成部６８からのクロックを用いて、第１〜３実施の形態と同様にして、入力映像信号を第１表示モードまたは第２表示モードで画素ずらしして表示する。
【００７６】
次に、本発明に係る撮像装置について説明する。
【００７７】
（第６実施の形態）
図１４は、本発明の第６実施の形態に係る撮像装置の概略構成を示す機能ブロック図である。この撮像装置は、電子カメラを構成するもので、撮像光学系、表示光学系および制御系を有している。先ず、撮像光学系の構成について説明する。撮像光学系は、絞り、メカシャッタ、ズームレンズ、フォーカスレンズ等を有する撮像レンズ系７１と、ＣＣＤやＣＭＯＳ等からなる撮像素子７２とを有し、図示しない被写体の光学像を、撮像レンズ系７１により撮像素子７２に結像させることにより、光電変換して出力する。なお、本実施の形態では、撮像素子７２として、単板カラーフィルタ付きのベイヤ配列の撮像素子を用いている。
【００７８】
表示光学系は、ＥＶＦを構成するもので、図１に示した画像表示装置の表示光学系と同様の構成からなる。すなわち、表示光学系は、照明部１０、画像表示部２０、画素ずらし部３０および拡大光学系４０を有し、照明部１０からの照明光を、画像表示部２０により表示画像に応じて空間変調して、その空間変調された表示画像を画素ずらし部３０および拡大光学系４０を経て、図示しない所定の結像面に拡大表示する。したがって、ここでは、図１に示した表示光学系と同一構成要素には、同一参照符号を付して詳細な説明を省略する。
【００７９】
制御系は、ＡＦＥ（Analog Front End）部８１、画像処理部８２、画像メモリ８３、出力画像処理部８４、光源制御部８５、表示素子制御部８６、画素ずらし制御部８７、レンズ駆動部８８、撮像素子制御部８９、圧縮伸長処理部９０、画像記録再生部９１、タイミングジェネレータ９２、撮像用クロック生成部９３、操作部９４、電源状態判断部９５、および全体を制御するシステムコントローラ９６を有する。また、システムコントローラ９６には、画素ずらしモード設定部９７、表示モード切り替え制御部９８および画像種別設定部９９を有している。
【００８０】
ＡＦＥ部７１は、撮像素子７２からの光電変換出力に対して、ＣＤＳ（Correlated Double Sampling＝相関２重サンプリング）処理、ＡＧＣ（Automatic Gain Control）処理、Ａ／Ｄ変換処理等を行ってデジタル撮像画像を生成し、その撮像画像を画像処理部８２に転送する。
【００８１】
画像処理部８２は、転送された撮像画像に基づいて、画像メモリ８３を使用しながら、ＲＧＢの同時化、つまり、ベイヤ原画からＲＧＢ画像を生成するカラー化処理（デモザイキング、リサンプリング）、スケーリング、エンハンス処理等の各種の画像処理を行って、必要に応じて、圧縮伸長処理部９０により、例えばＪＰＥＧ形式の画像に圧縮処理して、画像記録再生部９１に記録する。なお、画像記録再生部９１は、内蔵メモリ、あるいは、電子カメラに着脱自在に装着されるスマートメディア、ＳＤカード、ｘＤピクチャーカード等の図示しない記録媒体を有して構成する。
【００８２】
また、画像処理部８２は、画像処理した画像を、例えば４点画素ずらし表示用の出力画像Ａ〜Ｄとして、画像メモリ８３の出力画像メモリ８３Ａ〜８３Ｄに格納して、出力画像処理部８４に転送する。なお、画像メモリ８３は、例えば、ＳＤＲＡＭ、ＤＤＲ−ＳＤＲＡＭ等の揮発性メモリで構成する。
【００８３】
出力画像処理部８４は、図１に示した出力画像処理部５４と同様に、画像処理部８２からの出力画像に基づいて、光源制御部８５を介してバックライト１１の駆動を制御するとともに、表示素子制御部８６を介して画像表示素子２１の駆動を制御し、さらに画素ずらし制御部８７を介して液晶セル３１ａ，３１ｂの駆動を制御する。
【００８４】
本実施の形態においても、ＥＶＦの表示光学系は、モノクロの画像表示素子２１をＲＧＢの各色で順次照明し、その各色の照明に同期して、対応する色の画像を画像表示素子２１に表示することにより、ＲＧＢの各画像を時間的に重畳してカラー画像を得る色面順次表示（フィールドシーケンシャル表示）方式をとっている。このため、光源制御部８５は、図１に示した光源制御部５５と同様に、出力画像処理部８４の出力に基づいて、画像表示素子２１の１画素位置の出力画像に、ＲＧＢの画像情報が入るように、バックライト１１の駆動を制御する。また、表示素子制御部８６は、図１に示した表示素子制御部５６と同様に、出力画像処理部８４からの出力画像に対して、Ｖ−Ｔ補正や、シェーディング補正等の画像処理を行うと同時に、画像表示素子２１へ書き込む面順次データや、その書き込みに必要な信号を生成し、バックライト１１の駆動に同期して、画像表示素子２１に面順次データを書き込むことにより、色面順次表示を行う。
【００８５】
また、画像記録再生部９１に記録されている画像を表示する場合には、画像記録再生部９１から読み出した画像を、圧縮伸長処理部９０で伸長して画像処理部８２に供給し、ここで撮影の場合と同様にして出力画像を生成して出力画像処理部８４に転送することにより、撮像素子７２により撮像した画像の表示の場合と同様にして、画像表示素子２１に表示する。
【００８６】
タイミングジェネレータ９２は、撮像用クロック生成部９３からのクロックに基づいて、撮像素子７２を含む撮像系に関する各種の基準信号（タイミング信号）を生成して、対応する各ブロックに供給するとともに、撮像用クロック生成部９３で生成されるクロックを用いる同期モードで、画像表示素子２１を含む表示系に関する各種の基準信号（タイミング信号）を生成して、対応する各ブロックに供給する。
【００８７】
システムコントローラ９６は、例えばマイクロコンピュータからなり、フラッシュメモリ等の不揮発性メモリから電子カメラの基本制御プログラムをローディングして、電子カメラ全体の制御を行う。例えば、操作部９４からの図示しないレリーズボタンや十字キー等による入力を受け付けて、その入力に応じた制御を行ったり、タイミングジェネレータ９２からのタイミング信号に同期して、レンズ駆動部８８を介して撮像レンズ系７１の絞り、メカシャッタ、ズームレンズ、フォーカスレンズ等の駆動を制御したり、ＡＦＥ部８１、画像処理部８２、出力画像処理部８４等における各種パラメータを設定したり、圧縮伸長処理部９０における画像圧縮の設定や管理を行ったり、電源状態判断部９５による電源管理を行ったり、する。
【００８８】
なお、本実施の形態の電子カメラは、外部電源（ＡＣ電源）または内部電源（バッテリ）で駆動可能に構成されており、電源状態判断部９５は、駆動電源がＡＣ電源かバッテリかの電源種別およびバッテリの場合のバッテリ残量を管理する。
【００８９】
また、システムコントローラ９６は、操作部９４からの入力に応じて、表示モード切り替え制御部９８により画像表示素子２１の表示モードを制御するとともに、画像種別設定部９９により画像記録再生部９１に記録する画像の種別を設定する。
【００９０】
次に、図１４に示す電子カメラの全体の概略動作について説明する。
【００９１】
この電子カメラは、記録モード、再生モード、スタンバイモードの３つの制御状態を有する。記録モードは、レリーズボタンの手動操作によって発生する撮影指令により撮像（画像記録）を行うモードである。また、記録モードは、静止画（スチル）記録モードと動画（ムービー）記録モードとの２つのモードを有し、操作部９４に設けた操作ボタンやメニュー（ＧＵＩ）による記録モード切り替えスイッチ９４ａにより選択されて、システムコントローラ９６の画像種別設定部９９で設定される。
【００９２】
再生モードは、記録された画像を再生して、例えば画像表示素子２１に表示するためのモードである。これら記録モードまたは再生モードは、操作部９４に設けた操作ボタンやメニュー（ＧＵＩ）による記録／再生モード切り替えスイッチ９４ｂにより選択される。
【００９３】
また、スタンバイモードは、主要な回路への電源を切断して監視に必要な最低限の回路を動作させておくモードである。例えば、記録モードあるいは再生モードにあるとき、所定時間（例えば、１分あるいは３分）、全く無操作で経過した場合には、自動的にスタンバイモードに移行する。このスタンバイモードでは、電源スイッチ以外のスイッチ操作は一切受け付けないようにしたり、レリーズボタンの操作によってスタンバイモードから選択されたモードに移行するようにしたり、スタンバイモードから他のモードへ移行するための所定のスイッチを設けて、スイッチの操作によりスタンバイモードから対応するモードへ移行したり、することができる。
【００９４】
記録モードにおいては、撮影に先立って、マニュアル設定または測光結果に基づいて撮影に必要な露光時間が設定される。次に、本撮影の撮影指令を待ち、指令を受けたら所定の露出制御値に基づいた露光を行って、撮像素子７２から撮像信号を読み出し、その読み出した撮像信号を、ＡＦＥ部８１、画像処理部８２および圧縮伸長処理部９０を介して、所定の信号処理を施して画像記録再生部９１に記録する。その際、欠陥画素については画素欠陥補償を行う。欠陥補償後、記録に至るまでの信号処理は、必要に応じて適宜使用される公知の処理で、例えば、色バランス処理、マトリクス演算による輝度−色差信号への変換あるいはその逆変換処理、帯域制限等による偽色除去あるいは低減処理、γ変換に代表される各種非線形処理、各種情報圧縮処理、等々である。
【００９５】
本実施の形態に係る電子カメラのＥＶＦは、図１に示した構成と同様の表示光学系からなり、４点画素ずらし表示が可能となっている。ここで、４点画素ずらしを実施するためには、４倍の画素数の撮像情報を扱うこととなるので、１つの撮像情報を表示する回数（フレームレート）が同一だとすると、４倍の画素数で表示するためには、出力画像処理を、４倍の速度で行うこととなる。このため、画素ずらし表示を行う場合は、画素ずらし表示を行わない場合と同等の消費電力にはならない。特に、バッテリ駆動される電子カメラにおいては、撮像することが主機能となるので、低消費電力化を図るためには、画素ずらし動作を必要最低限に抑制する必要がある。
【００９６】
そこで、本実施の形態では、画像種別設定部９９により静止画の記録モードが設定された場合には、システムコントローラ９６の表示モード切り替え制御部９８により、画像表示素子２１への画像の表示モードを、レリーズボタンが操作されるまでは、撮像素子７２による現在の撮像画像をリアルタイムで表示するライブ表示モードとし、レリーズボタンが操作されて画像記録再生部９１に画像が記録されたら、その記録画像を所定時間（例えば、数秒程度）、画像表示素子２１に表示する再生表示モードに切り替えるように制御する。
【００９７】
また、システムコントローラ９６の画素ずらしモード設定部９７は、表示モード切り替え制御部９８による画像表示素子２１の表示モードがライブ表示モードの場合には、画素ずらしモードを第２表示モードである２点画素ずらしモードあるいは４点低速画素ずらしモードに設定し、表示モードが再生表示モードの場合には、画素ずらしモードを第１表示モードである４点画素ずらしモードに設定する。
【００９８】
すなわち、図１５にフローチャートを示すように、デフォルトの画素ずらしモードを第２表示モードに設定して、ライブ表示モードでは、２点画素ずらしモードあるいは４点低速画素ずらしモードで画素ずらし表示を行い（ステップＳ５１）、レリーズボタンが操作された再生表示モードに切り替わったら（ステップＳ５２）、画素ずらしモードを第１表示モードに設定して、当該撮影操作による記録画像を、所定時間、４点画素ずらしモードで画素ずらし表示を行う（ステップＳ５３，Ｓ５４）。
【００９９】
このように、本実施の形態では、記録モードが静止画の場合、ライブ表示モードでは、２点画素ずらしモード、あるいは第２実施の形態で説明した４点低速画素ずらしモードで画素ずらし表示を行い、再生表示モードでは、４点画素ずらしモードで画素ずらし表示を行うようにしたので、消費電力を効率的に低減することができるとともに、撮像した画像を、その画素数に近い画素数で、高解像度で確認することができる。
【０１００】
なお、本実施の形態において、動画の記録モードが設定された場合は、ライブ表示モードのみとして、２点画素ずらしモードあるいは４点低速画素ずらしモードで画素ずらし表示を行う。また、画像記録再生部９１に既に記録されている画像を再生する場合には、同様に、再生画像が静止画の場合は第１表示モードで画素ずらし表示し、再生画像が動画の場合は第２表示モードで画素ずらし表示する。
【０１０１】
（第７実施の形態）
本発明の第７実施の形態に係る撮像装置では、図１４に示した撮像装置において、画像種別設定部９９により静止画の記録モードが設定された場合には、システムコントローラ９６の表示モード切り替え制御部９８により、画像表示素子２１への画像の表示モードを、ライブ表示モードおよび再生表示モードに拘わらず、常に、第１表示モードである４点画素ずらしモードに設定する。これに対し、画像種別設定部９９により動画の記録モードが設定された場合には、システムコントローラ９６の表示モード切り替え制御部９８により、画像表示素子２１への画像の表示モードを、常に、第２表示モードである２点画素ずらしモードあるいは４点低速画素ずらしモードに設定する。
【０１０２】
すなわち、図１６にフローチャートを示すように、デフォルトの画素ずらしモードを動画の記録モードに対応する第２表示モードに設定して（ステップＳ６１）、操作部９４に設けた記録モード切り替えスイッチ９４ａを介して画像種別設定部９９により静止画の記録モードが設定されたか否かを判定し（ステップＳ６２）、静止画の記録モードが設定された場合には、画素ずらしモードを第１表示モードに切り替えて画素ずらし表示を行い（ステップＳ６３）、動画の記録モードの場合には、画素ずらしモードを切り替えることなく、第２表示モードで画素ずらし表示を行う（ステップＳ６４）。
【０１０３】
なお、画像記録再生部９１に既に記録されている画像を再生する場合は、例えば、画像処理部８２において処理される再生画像の画像情報に基づいて、画像種別設定部９９により再生画像の種別を設定し、再生画像が静止画の場合は第１表示モードで画素ずらし表示し、再生画像が動画の場合は第２表示モードで画素ずらし表示する。
【０１０４】
このように、本実施の形態では、記録モードまたは再生モードにおいて、記録または再生する画像が静止画の場合には、第１表示モードで画素ずらし表示し、動画の場合には第２表示モードで画素ずらし表示するようにしたので、第６実施の形態の場合と同様に、消費電力を効率的に低減することができるとともに、静止画の場合においては画像を高解像度で表示することができる。
【０１０５】
（第８実施の形態）
図１７は、本発明の第８実施の形態に係る撮像装置の概略構成を示す機能ブロック図である。この撮像装置は、図１４に示した撮像装置において、画素ずらし表示を、記録モードや再生モードに拘わらず、ユーザの設定により任意のタイミングで、第１表示モードでは４点画素ずらし表示、第２表示モードでは４点低速画素ずらし表示または２点画素ずらし表示を選択的に行えるようにしたものである。このため、本実施の形態では、操作部９４に、操作ボタンやメニュー（ＧＵＩ）により選択可能に、高解像度表示選択スイッチ９４ｃと、４点低速画素ずらしモード選択スイッチ９４ｄとを設け、これらのスイッチ状態をシステムコントローラ９６で検出して画素ずらしモード設定部９７により画素ずらしモードを設定する。その他、図１４に示した撮像装置と同一構成要素には同一参照符号を付して、説明を省略する。
【０１０６】
図１８は、本実施の形態の概略動作を示すフローチャートである。本実施の形態では、デフォルトの画素ずらしモードを２点画素ずらしモードに設定して２点画素ずらし表示を行う（ステップＳ７１）。その後、高解像度表示選択スイッチ９４ｃにより高解像度表示が選択されたか否かを判定し（ステップＳ７２）、高解像度表示が選択された場合には、所定時間（例えば、数十秒程度）、４点画素ずらしモードに切り替えて、４点画素ずらし表示を行う（ステップＳ７３，Ｓ７４）。
【０１０７】
一方、ステップＳ７２において、高解像度表示が選択されていない場合には、４点低速画素ずらしモードが選択されているか否かを判定し（ステップＳ７５）、４点低速画素ずらしモードが選択されていない場合には、デフォルトの２点画素ずらしモードのままで、２点画素ずらし表示を行う。これに対し、４点低速画素ずらしモードが選択されている場合には、所定時間（例えば、数十秒程度）、４点低速画素ずらしモードに切り替えて、４点低速画素ずらし表示を行う（ステップＳ７６，Ｓ７７）。
【０１０８】
これにより、例えば、被写体を三脚等で固定して撮影する場合において、撮像光学系の合焦状態を確認したい場合に、操作部９４に設けた高解像度表示選択スイッチ９４ｃで、高解像度の４点画素ずらし表示にするか、低消費電力の低解像度表示にするかを選択し、さらに、低解像度表示の場合には、４点低速画素ずらしモード選択スイッチ９４ｄで、被写体が動画の場合には２点画素ずらし表示とし、静止画の場合には４点低速画素ずらし表示とすることができる。
【０１０９】
したがって、本実施の形態によれば、消費電力を効率的に低減しながら、被写体の合焦状態を、被写体に応じた適切な画素ずらしモードでライブ表示して、確認することが可能となる。なお、本実施の形態は、上記の第６実施の形態や第７実施の形態と適宜組み合わせることもできる。
【０１１０】
（第９実施の形態）
図１９は、本発明の第９実施の形態に係る撮像装置の概略構成を示す機能ブロック図である。この撮像装置は、図１４に示した撮像装置において、記録モードまたは再生モードにおいて、画像処理部８２により、画像表示素子２１に表示する画像の動き成分または周波数特性を演算し、その演算結果に基づいて、システムコントローラ９６の画素ずらしモード設定部９７により、動き成分が所定の閾値以下の場合、または高い周波数成分を多く含む周波数特性の場合には、画素ずらしモードを、第１表示モードである４点画素ずらしモードに自動的に設定し、それ以外の場合には、画素ずらしモードを、第２表示モードである２点画素ずらしモードまたは４点低速画素ずらしモードに自動的に設定する。その他、図１４に示した撮像装置と同一構成要素には同一参照符号を付して、説明を省略する。
【０１１１】
図２０は、本実施の形態の概略動作を示すフローチャートである。先ず、電子カメラを記録モードまたは再生モードに設定して、表示画像を選択する（ステップＳ８１）。その後、選択された表示画像を、画像処理部８２で画像処理して、動き成分や周波数特性を演算し（ステップＳ８２）、その演算結果を画素ずらしモード設定部９７で判定して（ステップＳ８３）、動き成分が小さく静止画とみなせる場合、あるいは高い周波数成分を多く含む高コントラスト画像の場合には、画素ずらしモードを、第１表示モードに設定して画素ずらし表示し（ステップＳ８４）、動き成分が大きく動画とみなせる場合、あるいは低い周波数成分を多く含む低コントラスト画像の場合には、画素ずらしモードを、第２表示モードに設定して画素ずらし表示する（ステップＳ８５）。
【０１１２】
以上のように、本実施の形態では、表示画像の動き成分や周波数特性を検出して、表示画像の画素ずらしモードを自動的に設定するようにしたので、表示画像を適切な解像度で表示できるとともに、消費電力をより効率的に低減することが可能となる。
【０１１３】
（第１０実施の形態）
図２１は、本発明の第１０実施の形態に係る撮像装置の概略構成を示す機能ブロック図である。この撮像装置は、図１４に示した撮像装置において、撮像素子７２の近傍に温度検出部である温度センサ１０１を設け、この温度センサ１０１の出力に基づいて、画素ずらし部３０による画素ずらしモードを、システムコントローラ９６において画素ずらしモード設定部９７により、高解像度表示に対応する第１表示モード、または第１表示モードよりも低解像度で、かつ低消費電力の第２表示モードに自動的に設定するようにしたものである。その他、図１４に示した撮像装置と同一構成要素には同一参照符号を付して、説明を省略する。
【０１１４】
すなわち、撮像素子７２は、熱上昇すると、消費電力が大きくなるとともに、熱雑音も大きくなる。そこで、本実施の形態では、図２２にフローチャートを示すように、温度センサ１０１により撮像素子７２の近傍の温度を測定し（ステップＳ９１）、その測定温度が所定の閾値（例えば、５０℃）以上か否かをシステムコントローラ９６において判定し（ステップＳ９２）、その判定結果に応じて、画素ずらしモード設定部９７により、閾値未満の場合には、画素ずらしモードを第１表示モードである４点画素ずらしモードに設定し（ステップＳ９３）、閾値以上の場合には、画素ずらしモードを第２表示モードである２点画素ずらしモードまたは４点低速画素ずらしモードに設定する（ステップＳ９４）。
【０１１５】
このように、本実施の形態では、撮像素子７２の周囲温度に応じて、画素ずらしモードを、閾値未満の温度では、高解像度表示に対応する第１表示モードに、閾値以上の温度では第１表示モードよりも低解像度で、かつ低消費電力の第２表示モードに自動的に設定するようにしたので、消費電力を効率的に低減できるとともに、撮像素子７２の熱雑音による画質低下の影響も軽減することができる。
【０１１６】
（第１１実施の形態）
図２３は、本発明の第１１実施の形態に係る撮像装置の概略構成を示す機能ブロック図である。この撮像装置は、図１４に示した撮像装置において、電源状態判断部９５による電源状態の管理結果、すなわち、駆動電源がＡＣ電源かバッテリかの電源種別およびバッテリの場合のバッテリ残量（電圧値）に基づいて、システムコントローラ９６の画素ずらしモード設定部９７により、高解像度表示に対応する第１表示モード、または第１表示モードよりも低解像度で、かつ低消費電力の第２表示モードに自動的に設定するようにしたものである。その他、図１４に示した撮像装置と同一構成要素には同一参照符号を付して、説明を省略する。
【０１１７】
図２４は、本実施の形態の概略動作を示すフローチャートである。本実施の形態では、デフォルトの画素ずらしモードを２点画素ずらしモードに設定する（ステップＳ１０１）。その後、電子カメラの電源スイッチ（図示せず）がオンになって記録モードまたは再生モードに設定されたら、その時点で、先ず、電源状態判断部９５による電源種別を判定する（ステップＳ１０２）。その結果、駆動電源がＡＣ電源の場合には、画素ずらしモードを、第１表示モードである４点画素ずらしモードに設定して画素ずらし表示する（ステップＳ１０３）。
【０１１８】
これに対し、駆動電源がバッテリの場合には、さらに電源状態判断部９５によるバッテリ残量が閾値以上か否かをチェックする（ステップＳ１０４）。その結果、閾値以上の場合には、ＡＣ電源駆動の場合と同様に、画素ずらしモードを、第１表示モードである４点画素ずらしモードに設定して画素ずらし表示する（ステップＳ１０５）。これに対し、バッテリ残量が閾値未満の場合には、画素ずらしモードを第２表示モードとして画素ずらし表示する。
【０１１９】
本実施の形態では、バッテリ残量が閾値未満の場合には、さらに、第７実施の形態で説明した静止画や動画の記録モード種別、あるいは第９実施の形態で説明した表示画像の動き成分や周波数特性に応じて、第２表示モードの種別、すなわち画素ずらし点数を選択し（ステップＳ１０６）、表示画像が動画や低コントラストの静止画の場合には、画素ずらし点数を２点として、デフォルトの２点画素ずらしモードで画素ずらし表示し、表示画像が高コントラストの静止画の場合には、画素ずらし点数を４点として、画素ずらしモードを４点低速画素ずらしモードに設定して画素ずらし表示するとともに、この４点低速画素ずらしモードをデフォルトとして設定する（ステップＳ１０７）。
【０１２０】
このように、本実施の形態では、駆動電源がＡＣ電源かバッテリかの電源種別、バッテリの場合には、バッテリ残量および表示画像の種別に基づいて、画素ずらしモードを適切に設定するようにしたので、バッテリ駆動の場合には、表示画像を適切な解像度で表示できるとともに、消費電力をより効率的に低減することが可能となる。
【０１２１】
なお、本実施の形態では、図２４のステップＳ１０４において、バッテリ残量が閾値未満の場合には、ステップＳ１０６で第２表示モードにおける画素ずらし点数を判定するようにしたが、このステップＳ１０６を省略して、バッテリ残量が閾値未満の場合には、画素ずらしモードをデフォルトの２点画素ずらしモードとすることもできる。また、デフォルトの画素ずらしモードは、４点低速画素ずらしモードとすることもできる。
【０１２２】
（第１２実施の形態）
本発明の第１２実施の形態に係る撮像装置は、図２３に示した撮像装置において、電源状態判断部９５による電源状態の管理結果に基づいて画素ずらしモードを設定するのではなく、画像処理部８２で処理するビットレートに応じて、システムコントローラ９６の画素ずらしモード設定部９７により画素ずらしモードを設定する。このため、本実施の形態では、記録モードでは、操作部９４において記録画像の画質（画素数）を選択できるようにして、システムコントローラ９６により画像処理のビットレートを管理し、再生モードでは、画像処理部８２により再生する画像の画質を判定して、システムコントローラ９６により画像処理のビットレートを管理する。
【０１２３】
例えば、図２３において、撮像素子７２の画素数を３８４０×２１６０（≒８Ｍ）、画像表示素子２１の画素数を２Ｍとした場合、画素ずらしモードを４点画素ずらしモードとすれば、撮像素子７２のほぼ全ての画素を、画像表示素子２１で表示することができる。しかし、この場合、ＲＧＢを２４ビットで表すとすると、画像処理部８２は、８Ｍ×２４≒２００Ｍビット／フレームという高いビットレートを扱うことになって、消費電力が多くなる。
【０１２４】
そこで、本実施の形態では、図２５にフローチャートを示すように、システムコントローラ９６において、画像処理部８２で処理する記録画像や再生画像の画質に基づくビットレートを算出して（ステップＳ１１１）、ビットレートが所定の閾値、例えば２００Ｍビット／フレーム以上か否かを判定する（ステップＳ１１２）。その結果、ビットレートが所定の閾値以上の場合には、画素ずらしモード設定部９７により、画素ずらしモードを第２表示モード、すなわち２点画素ずらしモードまたは４点低速画素ずらしモードに設定し（ステップＳ１１３）、ビットレートが所定の閾値未満の場合には、画素ずらしモード設定部９７により、画素ずらしモードを第１表示モード、すなわち４点画素ずらしモードに設定する（ステップＳ１１４）。
【０１２５】
このように、画像処理部８２で処理する記録画像や再生画像の画質に基づくビットレートに基づいて、表示画像の画素ずらしモードを設定することにより、画像をほぼ一定の画質で表示できるとともに、消費電力を効率的に低減することが可能となる。なお、ビットレートの閾値は、例えば、バッテリ特性やバッテリ残量、あるいはユーザにより任意に設定することができる。
【０１２６】
（第１３実施の形態）
図２６は、本発明の第１３実施の形態に係る撮像装置の概略構成を示す機能ブロック図である。この撮像装置は、上述した第６〜１２実施の形態の構成において、タイミングジェネレータ９２に接続して、画像表示素子２１に適したクロックを生成する表示用クロック生成部１１０を設ける。また、操作部９４には、操作ボタンやメニュー（ＧＵＩ）によって、表示用クロック生成部１１０の駆動をユーザにより選択可能に非同期モード選択スイッチ９４ｅを設け、この非同期モード選択スイッチ９４ｅの状態をシステムコントローラ９６で検出する。なお、図２６は、便宜上、図１４に示した構成に、表示用クロック生成部１１０およびクロックスイッチ９４ｅを付加した構成を示している。
【０１２７】
図２７は、本実施の形態の動作を示すフローチャートである。本実施の形態では、システムコントローラ９６により操作部９４の非同期モード選択スイッチ９４ｅの状態を検出して（ステップＳ１２１）、非同期モードが選択されているか否かを判定する（ステップＳ１２２）。その結果、非同期モードが選択されていない場合には、表示用クロック生成部１１０の駆動を停止して（ステップＳ１２３）、撮像用クロック生成部９３で生成されるクロックを用いる同期モードで、上述した第６〜１２実施の形態におけるように、画像表示素子２１を含む表示系を駆動する。
【０１２８】
これに対し、非同期モード選択スイッチ９４ｅにより非同期モードが選択されている場合には、表示用クロック生成部１１０を駆動する（ステップＳ１２４）。これにより、画像表示素子２１を含む表示系に関しては、撮像用クロック生成部９３で生成されるクロックを用いることなく、表示用クロック生成部１１０で生成されるクロックを用いる非同期モードで、上述した第６〜１２実施の形態におけるように駆動する。
【０１２９】
したがって、本実施の形態においては、非同期モードが選択された場合には、第６〜１２実施の形態の場合と比較して、表示用クロック生成部１１０を動作させる分、電力を消費することになるが、画素ずらし部３０による画素ずらしモードを、第６〜１２実施の形態の場合と同様に、高解像度表示に対応する第１表示モード、または第１表示モードよりも低解像度で、かつ低消費電力の第２表示モードに選択的に設定可能としているので、消費電力を効率的に低減することが可能となる。
【０１３０】
なお、本発明は、上記実施の形態にのみ限定されるものではなく、幾多の変形または変更が可能である。例えば、画素ずらしによる各サブフィールドの出力画像は、出力画像毎に画像メモリに格納することなく、入力映像信号をフレームメモリに格納して読み出す際に、あるいは読み出した後に、各出力画像を生成して出力するようにすることもできる。また、画素ずらしは、２点画素ずらしとして、第１表示モードと第２表示モードとのフレームレートを、例えば６０Ｈｚと３０Ｈｚとすることもできる。
【０１３１】
また、上記第１〜１３実施の形態を適宜組み合わせることも可能である。例えば、第１０実施の形態の撮像装置に、第３実施の形態を組み合わせて、画素ずらし部３０側の温度センサが２０℃未満、または撮像素子７１側の温度センサが５０℃以上で、画素ずらしモードを第２表示モードとし、それ以外は画素ずらしモードを第１表示モードとすることもできる。
【０１３２】
さらに、第１表示モードにおける色面順次の周波数は、７２０Ｈｚに限らず、例えば３６０Ｈｚにする等、任意に設定することができるが、好ましくは、カラーブレーキング（色割れ）現象や、画素ずらしによる画像の振動感、フリッカー感の点から、４８０Ｈｚ以上とする。
【０１３３】
また、画像表示は、色面順次方式に限らず、ＲＧＢのカラーフィルタを形成した透過型のＬＣＤや反射型ＬＣＯＳを用いたり、ＤＭＤを用いたり、ＥＬ（electro-luminescence）素子のような自発光表示素子を用いたり、することもできる。また、画素ずらし部は、液晶セルと複屈折板との組み合わせに限らず、画像表示素子をメカニカルに振動させて画素ずらしを行うように構成したり、例えば、特開平９−１３３９０４号公報、特開２００２−３２８４０２号公報に開示されているように、液晶のみを用いて液晶分子の傾斜による複屈折によって入射する偏光の屈折角と変位する方向とを変化させて画素ずらしを行うように構成したり、することもできる。
【図面の簡単な説明】
【０１３４】
【図１】本発明の第１実施の形態に係る画像表示装置の概略構成を示す機能ブロック図である。
【図２】第１実施の形態の概略動作を示すフローチャートである。
【図３】第１実施の形態による画素ずらし用の出力画像生成方法の一例を説明するための図である。
【図４】第１実施の形態による４点画素ずらしモードの動作を説明するための図である。
【図５】第１実施の形態による４点画素ずらしモードの動作を示すタイミングチャートである。
【図６】第１実施の形態による２点画素ずらしモードの動作を示すタイミングチャートである。
【図７】本発明の第２実施の形態に係る画像表示装置の概略動作を示すフローチャートである。
【図８】第２実施の形態による４点低速画素ずらしモードの動作を示すタイミングチャートである。
【図９】本発明の第３実施の形態に係る画像表示装置の概略構成を示す機能ブロック図である。
【図１０】第３実施の形態の概略動作を示すフローチャートである。
【図１１】本発明の第４実施の形態に係る画像表示装置の概略構成を示す機能ブロック図である。
【図１２】本発明の第５実施の形態に係る画像表示装置の概略構成を示す機能ブロック図である。
【図１３】第５実施の形態の変形例の動作を示すフローチャートである。
【図１４】本発明の第６実施の形態に係る撮像装置の概略構成を示す機能ブロック図である。
【図１５】第６実施の形態の概略動作を示すフローチャートである。
【図１６】本発明の第７実施の形態に係る撮像装置の概略動作を示すフローチャートである。
【図１７】本発明の第８実施の形態に係る撮像装置の概略構成を示す機能ブロック図である。
【図１８】第８実施の形態の概略動作を示すフローチャートである。
【図１９】本発明の第９実施の形態に係る撮像装置の概略構成を示す機能ブロック図である。
【図２０】第９実施の形態の概略動作を示すフローチャートである。
【図２１】本発明の第１０実施の形態に係る撮像装置の概略構成を示す機能ブロック図である。
【図２２】第１０実施の形態の概略動作を示すフローチャートである。
【図２３】本発明の第１１実施の形態に係る撮像装置の概略構成を示す機能ブロック図である。
【図２４】第１１実施の形態の概略動作を示すフローチャートである。
【図２５】本発明の第１２実施の形態に係る撮像装置の概略動作を示すフローチャートである。
【図２６】本発明の第１３実施の形態に係る撮像装置の概略構成を示す機能ブロック図である。
【図２７】第１３実施の形態の概略動作を示すフローチャートである。
【符号の説明】
【０１３５】
１０  照明部
１１  バックライト
１２  照明光学系
２０  画像表示部
２１  画像表示素子
２２，２３  偏光板
３０  画素ずらし部
３１ａ，３１ｂ  液晶セル
３２ａ，３２ｂ  複屈折板
４０  拡大光学系
５１  入力Ｉ／Ｆ（インターフェース）
５２  画像処理部
５３  画像メモリ
５３Ａ〜５３Ｄ  出力画像メモリ
５４  出力画像処理部
５５  光源制御部
５６  表示素子制御部
５７  画素ずらし制御部
５８  タイミングジェネレータ
５９  操作部
６０  システムコントローラ
６１  画素ずらしモード設定部
６２  画素ずらしモード選択スイッチ
６５  温度センサ
６６  クロック生成部
６７  第１クロック生成部
６８  第２クロック部
７１  撮像レンズ系
７２  撮像素子
８１  ＡＦＥ部
８２  画像処理部
８３  画像メモリ
８３Ａ〜８３Ｄ  出力画像メモリ
８４  出力画像処理部
８５  光源制御部
８６  表示素子制御部
８７  画素ずらし制御部
８８  レンズ駆動部
８９  撮像素子制御部
９０  圧縮伸長処理部
９１  画像記録再生部
９２  タイミングジェネレータ
９３  撮像用クロック生成部
９４  操作部
９４ａ  記録モード切り替えスイッチ
９４ｂ  記録／再生モード切り替えスイッチ
９４ｃ  高解像度表示選択スイッチ
９４ｄ  ４点低速画素ずらしモード選択スイッチ
９４ｅ  非同期モード選択スイッチ
９５  電源状態判断部
９６  システムコントローラ
９７  画素ずらしモード設定部
９８  表示モード切り替え制御部
９９  画像種別設定部
１０１  温度センサ
１１０  表示用クロック生成部
【図１】
2009118159.tif 000003
【図２】
2009118159.tif 000004
【図３】
2009118159.tif 000005
【図４】
2009118159.tif 000006
【図５】
2009118159.tif 000007
【図６】
2009118159.tif 000008
【図７】
2009118159.tif 000009
【図８】
2009118159.tif 000010
【図９】
2009118159.tif 000011
【図１０】
2009118159.tif 000012
【図１１】
2009118159.tif 000013
【図１２】
2009118159.tif 000014
【図１３】
2009118159.tif 000015
【図１４】
2009118159.tif 000016
【図１５】
2009118159.tif 000017
【図１６】
2009118159.tif 000018
【図１７】
2009118159.tif 000019
【図１８】
2009118159.tif 000020
【図１９】
2009118159.tif 000021
【図２０】
2009118159.tif 000022
【図２１】
2009118159.tif 000023
【図２２】
2009118159.tif 000024
【図２３】
2009118159.tif 000025
【図２４】
2009118159.tif 000026
【図２５】
2009118159.tif 000027
【図２６】
2009118159.tif 000028
【図２７】
2009118159.tif 000029